(57)【要約】【課題】頬紅領域を標示可能な生体情報解析装置を提供する。【解決手段】本発明に係る頬紅領域を標示可能な生体情報解析装置は、撮像モジュール、処理部及び表示モジュールを含む。撮像モジュールは、外部画像を撮像する。処理部は、撮像モジュールに電気的に接続され、複数の顔型と、各顔型にそれぞれ対応する複数の標示プログラムとを記録しており、外部画像から顔を識別した場合に顔の各パーツを位置合わせするとともに顔の顔型を判断する。また、処理部は、判断した顔型に応じて対応する標示プログラムを実行して頬紅領域を顔に標示する。表示モジュールは、処理部に電気的に接続され、顔及び頬紅領域を表示する。【選択図】図６Ｂ
2019028968.tif 000002
【特許請求の範囲】
【請求項１】
頬紅領域を標示可能な生体情報解析装置であって、
外部画像を撮像する撮像モジュールと、
前記撮像モジュールに電気的に接続され、複数の顔型及び各前記顔型にそれぞれ対応する複数の標示プログラムが記録されており、前記外部画像を識別し、前記外部画像から顔を識別した場合に前記顔の各パーツを位置合わせするとともに前記顔の顔型を判断し、前記顔が複数の前記顔型のうちの１つであると判断した場合、前記顔型に対応する前記標示プログラムを実行して頬紅領域を前記顔に標示する処理部と、
前記処理部に電気的に接続され、前記顔と、前記顔と重なる前記頬紅領域とを表示する表示モジュールと、を含むことを特徴とする、頬紅領域を標示可能な生体情報解析装置。
【請求項２】
前記処理部は、
前記外部画像を識別し、前記外部画像に前記顔があるか否かを判断する顔識別モジュールと、
前記顔を位置合わせし、前記顔が複数の前記顔型のうちの１つであると判断する位置合わせモジュールと、
前記顔型に応じて複数の前記標示プログラムから１つを実行して前記頬紅領域を前記顔に標示する標示モジュールと、を含むことを特徴とする請求項１に記載の、頬紅領域を標示可能な生体情報解析装置。
【請求項３】
前記顔が楕円顔であると判断された場合、前記標示モジュールは第１標示プログラムにより前記頬紅領域を前記顔に標示することを特徴とする請求項２に記載の、頬紅領域を標示可能な生体情報解析装置。
【請求項４】
前記顔が楕円顔の場合、前記標示モジュールが前記第１標示プログラムを実行する工程では、
前記顔の目の下縁の位置より第１水平線を設定し、
前記第１水平線と前記顔の輪郭との第１交差点を設定し、
前記第１交差点と前記顔の口角の位置とを結ぶ第１補助線を設定し、
前記口角の位置より第２水平線を設定し、
前記第２水平線と前記顔の輪郭との第２交差点を設定し、
前記第２交差点と前記顔の下まぶたの中点の位置とを結ぶ第２補助線を設定し、
前記顔の鼻の最下点の位置より第３補助線として第３水平線を設定し、
前記第１補助線、前記第２補助線及び前記第３補助線により前記頬紅領域を形成することを特徴とする請求項３に記載の、頬紅領域を標示可能な生体情報解析装置。
【請求項５】
前記顔が丸顔または四角顔であると判断された場合、前記標示モジュールは第２標示プログラムにより前記頬紅領域を前記顔に標示することを特徴とする請求項２に記載の、頬紅領域を標示可能な生体情報解析装置。
【請求項６】
前記顔が丸顔または四角顔の場合、前記標示モジュールが前記第２標示プログラムを実行する工程では、
前記顔の鼻の最下点の位置より第１水平線を設定し、
前記顔の目の下縁の位置より第２水平線を設定し、
前記第２水平線と前記顔の輪郭との第１交差点を設定し、
前記第１交差点と前記顔の鼻翼の最高点の位置とを結ぶ第４補助線を設定し、
前記第４補助線と前記第１水平線との交差位置まで前記第４補助線を下方へ平行移動させて第５補助線を設定し、
前記顔の口角の位置より第６補助線として垂直線を設定し、
前記第４補助線、前記第５補助線及び前記第６補助線により前記頬紅領域を形成することを特徴とする請求項５に記載の、頬紅領域を標示可能な生体情報解析装置。
【請求項７】
前記顔が面長顔であると判断された場合、前記標示モジュールは第３標示プログラムにより前記頬紅領域を前記顔に標示することを特徴とする請求項２に記載の、頬紅領域を標示可能な生体情報解析装置。
【請求項８】
前記顔が面長顔の場合、前記標示モジュールが前記第３標示プログラムを実行する工程では、
前記顔の目の下縁の位置より第７補助線として第１水平線を設定し、
前記顔の鼻翼の最高点の位置より第８補助線として第２水平線を設定し、
前記顔の鼻翼の外側の位置より第９補助線として垂直線を設定し、
前記第７補助線、前記第８補助線及び前記第９補助線により前記頬紅領域を形成することを特徴とする請求項７に記載の、頬紅領域を標示可能な生体情報解析装置。
【請求項９】
前記顔が逆三角顔または菱顔であると判断された場合、前記標示モジュールは第４標示プログラムにより前記頬紅領域を前記顔に標示することを特徴とする請求項２に記載の、頬紅領域を標示可能な生体情報解析装置。
【請求項１０】
前記顔が逆三角顔または菱顔の場合、前記標示モジュールが前記第４標示プログラムを実行する工程では、
前記顔の目の下縁の位置より第１水平線を設定し、
前記第１水平線と前記顔の輪郭との第１交差点を設定し、
前記第１交差点と前記顔の鼻翼の最高点の位置とを結ぶ第１０補助線を設定し、
前記顔の眉山の位置より第１１補助線として垂直線を設定し、
前記顔の鼻の最下点の位置より第２水平線を設定し、
前記第２水平線と前記顔の輪郭との第２交差点を設定し、
前記第２交差点と前記鼻翼の最高点の位置とを結ぶ第１２補助線を設定し、
前記第１０補助線、前記第１１補助線及び前記第１２補助線により前記頬紅領域を形成することを特徴とする請求項９に記載の、頬紅領域を標示可能な生体情報解析装置。
【請求項１１】
前記位置合わせモジュールは、Ｄｌｉｂ  Ｆａｃｅ  Ｌａｎｄｍａｒｋシステムにより前記顔の各パーツを位置合わせすることを特徴とする請求項２に記載の、頬紅領域を標示可能な生体情報解析装置。
【発明の詳細な説明】
【技術分野】
【０００１】
本発明は、解析装置に関し、特に、頬紅領域を標示可能な生体情報解析装置に関する。
【背景技術】
【０００２】
化粧は女性にとってほぼ毎日不可欠なものとなっている。
通常、ユーザは鏡の前に座って化粧を施したり、スマートフォンやタブレットなどの装置のカメラ及びディスプレイを用いて化粧を施したりする。
【発明の概要】
【発明が解決しようとする課題】
【０００３】
しかしながら、ユーザは、化粧肌を均一に仕上げるか否か、化粧箇所が正しいか否かを肉眼で視認する場合が多い。このため、化粧経験不足のユーザの一部は、化粧に時間がかかりすぎたり、化粧を上手に施すことができなかったりする問題を抱えていた。
【０００４】
以上に鑑みて、本技術分野において、ユーザのスピード化粧や経験不足のユーザの綺麗な化粧の完成を効果的に支援可能な支援装置が求められている。
【０００５】
従って、本発明は、化粧時にユーザの顔型に応じてユーザの顔画像に頬紅領域を自動的に標示し、ユーザに対して正確な位置に頬紅をつけることを案内する、頬紅領域を標示可能な生体情報解析装置を提供することを目的とする。
【課題を解決するための手段】
【０００６】
上記の目的を達成するために、本発明に係る頬紅領域を標示可能な生体情報解析装置は、外部画像を撮像する撮像モジュールと、前記撮像モジュールに電気的に接続され、複数の顔型及び各前記顔型にそれぞれ対応する複数の標示プログラムが記録されており、前記外部画像を識別し、前記外部画像から顔を識別した場合に前記顔の各パーツを位置合わせするとともに前記顔の顔型を判断し、前記顔が複数の前記顔型のうちの１つであると判断した場合、前記顔型に対応する前記標示プログラムを実行して頬紅領域を前記顔に標示する処理部と、前記処理部に電気的に接続され、前記顔と、前記顔と重なる前記頬紅領域とを表示する表示モジュールと、を含む。
【０００７】
一実施形態では、前記処理部は、前記外部画像を識別し、前記外部画像に前記顔があるか否かを判断する顔識別モジュールと、前記顔を位置合わせし、前記顔が複数の前記顔型のうちの１つであると判断する位置合わせモジュールと、前記顔型に応じて複数の前記標示プログラムから１つを実行して前記頬紅領域を前記顔に標示する標示モジュールと、を含む。
【０００８】
一実施形態では、前記顔が楕円顔であると判断された場合、前記標示モジュールは第１標示プログラムにより頬紅領域を前記顔に標示する。
【０００９】
一実施形態では、前記顔が楕円顔の場合、前記標示モジュールが前記第１標示プログラムを実行する工程では、前記顔の目の下縁の位置より第１水平線を設定し、前記第１水平線と前記顔の輪郭との第１交差点を設定し、前記第１交差点と前記顔の口角の位置とを結ぶ第１補助線を設定し、前記口角の位置より第２水平線を設定し、前記第２水平線と前記顔の輪郭との第２交差点を設定し、前記第２交差点と前記顔の下まぶたの中点の位置とを結ぶ第２補助線を設定し、前記顔の鼻の最下点の位置より第３補助線として第３水平線を設定し、前記第１補助線、前記第２補助線及び前記第３補助線により前記頬紅領域を形成する。
【００１０】
一実施形態では、前記顔が丸顔または四角顔であると判断された場合、前記標示モジュールは第２標示プログラムにより前記頬紅領域を前記顔に標示する。
【００１１】
一実施形態では、前記顔が丸顔または四角顔の場合、前記標示モジュールが前記第２標示プログラムを実行する工程では、前記顔の鼻の最下点の位置より第１水平線を設定し、前記顔の目の下縁の位置より第２水平線を設定し、前記第２水平線と前記顔の輪郭との第１交差点を設定し、前記第１交差点と前記顔の鼻翼の最高点の位置とを結ぶ第４補助線を設定し、前記第４補助線と前記第１水平線との交差位置まで前記第４補助線を下方へ平行移動させて第５補助線を設定し、前記顔の口角の位置より第６補助線として垂直線を設定し、前記第４補助線、前記第５補助線及び前記第６補助線により前記頬紅領域を形成する。
【００１２】
一実施形態では、前記顔が面長顔であると判断された場合、前記標示モジュールは第３標示プログラムにより前記頬紅領域を前記顔に標示する。
【００１３】
一実施形態では、前記顔が面長顔の場合、前記標示モジュールが前記第３標示プログラムを実行する工程では、前記顔の目の下縁の位置より第７補助線として第１水平線を設定し、前記顔の鼻翼の最高点の位置より第８補助線として第２水平線を設定し、前記顔の鼻翼の外側の位置より第９補助線として垂直線を設定し、前記第７補助線、前記第８補助線及び前記第９補助線により前記頬紅領域を形成する。
【００１４】
一実施形態では、前記顔が逆三角顔または菱顔であると判断された場合、前記標示モジュールは第４標示プログラムにより前記頬紅領域を前記顔に標示する。
【００１５】
一実施形態では、前記顔が逆三角顔または菱顔の場合、前記標示モジュールが前記第４標示プログラムを実行する工程では、前記顔の目の下縁の位置より第１水平線を設定し、前記第１水平線と前記顔の輪郭との第１交差点を設定し、前記第１交差点と前記顔の鼻翼の最高点の位置とを結ぶ第１０補助線を設定し、前記顔の眉山の位置より第１１補助線として垂直線を設定し、前記顔の鼻の最下点の位置より第２水平線を設定し、前記第２水平線と前記顔の輪郭との第２交差点を設定し、前記第２交差点と前記鼻翼の最高点の位置とを結ぶ第１２補助線を設定し、前記第１０補助線、前記第１１補助線及び前記第１２補助線により前記頬紅領域を形成する。
【００１６】
一実施形態では、前記位置合わせモジュールは、Ｄｌｉｂ  Ｆａｃｅ  Ｌａｎｄｍａｒｋシステムにより前記顔の各パーツを位置合わせする。
【発明の効果】
【００１７】
ユーザは、本発明に係る生体情報解析装置により化粧を施す場合、自分自身の顔画像を目視することができるほか、装置によって推奨された頬紅領域を顔画像からそのまま取得することもでき、その結果、頬紅を正確な位置に迅速につけることができる。
【図面の簡単な説明】
【００１８】
【図１】本発明の第１実施形態に係る生体情報解析装置の構成を示すシステム図である。
【図２】本発明に係る生体情報解析装置の第１実施形態を示す図である。
【図３】本発明に係る生体情報解析装置の第２実施形態を示す図である。
【図４】本発明の第１実施形態の生体情報解析装置を示すブロック図である。
【図５】本発明の処理部の第１実施形態を示す図である。
【図６Ａ】本発明の一実施形態の第１の標示の流れを示すフローチャートである。
【図６Ｂ】本発明の一実施形態の第２の標示の流れを示すフローチャートである。
【図７】顔の位置合わせを説明するための図である。
【図８Ａ】本発明の頬紅領域の標示の第１実施形態を示すフローチャートである。
【図８Ｂ】本発明の頬紅領域の第１実施形態を示す図である。
【図９Ａ】本発明の頬紅領域の標示の第２実施形態を示すフローチャートである。
【図９Ｂ】本発明の頬紅領域の第２実施形態を示す図である。
【図１０Ａ】本発明の頬紅領域の標示の第３実施形態を示すフローチャートである。
【図１０Ｂ】本発明の頬紅領域の第３実施形態を示す図である。
【図１１Ａ】本発明の頬紅領域の標示の第４実施形態を示すフローチャートである。
【図１１Ｂ】本発明の頬紅領域の第４実施形態を示す図である。
【図１２】本発明に係る生体解析装置の第３実施形態を示す図である。
【発明を実施するための形態】
【００１９】
以下、本発明の複数の実施形態について、図面を参照しつつ説明する。
【００２０】
図１は、本発明の第１実施形態に係る生体情報解析装置の構成を示すシステム図である。本発明に係る頬紅領域を標示可能な生体情報解析装置（以下、解析装置１と称される）は、主に頬紅領域の標示方法（以下、標示方法と称される）を実行し、ユーザが頬紅を迅速かつ正確につけるのを支援する。
【００２１】
一実施形態では、ユーザは、電子装置２を操作することで解析装置１を設定する。詳細には、解析装置１は、電子装置２と共に同じワイヤレスルータ３に接続すると、ワイヤレスルータ３を介して電子装置２に無線で接続可能である。また、解析装置１と電子装置２とは、他の無線通信プロトコル（例えば、ブルートゥース（登録商標）、Ｚｉｇｂｅｅ（登録商標）、ＲＦ）でペアリングしたり接続したりすることで、相互にデータ、指令及び信号を通信してもよい。
【００２２】
図１に示すように、電子装置２内には、ソフトウェア２１がインストールされている。詳細には、ソフトウェア２１は、解析装置１と相互にサポート可能なソフトウェア２１（例えば、解析装置１の製造メーカによって開発、提供されるソフトウェア）であってもよい。本発明では、ユーザは、ソフトウェア２１を操作することで、解析装置１に対する様々な設定操作（例えば、顔情報の登録、様々な所定値の設定など）を完成することができる。
【００２３】
一実施形態では、解析装置１は、区域におけるワイヤレスルータ３に接続され、ワイヤレスルータ３を介してインターネット４に接続されてもよい。こうすることで、解析装置１は、インターネット４を介してファームウェアのアップデート、データのアップロードやダウンロードなどの操作を行うことができる。また、解析装置１は、インターネット４を介してユーザの生体データを遠隔のコンピュータ装置（不図示）に送信し、これにより、ユーザが遠隔で確認したり、隔地保管の目的を実現したりできる。
【００２４】
図２及び図３は、それぞれ本発明に係る解析装置の第１実施形態及び第２実施形態を示す図である。本発明に係る解析装置１は、主に、ユーザ５の寝室または化粧室に設置される。こうすることで、ユーザ５は、生体情報（例えば、顔、首部、手部の皮膚状態）を容易に検出、解析し、解析装置１の支援によって化粧を施す。
【００２５】
解析装置１は、ミラースクリーン１１を有する。解析装置１は起動時に、ミラースクリーン１１によりグラフィカル・ユーザ・インタフェース（Ｇｒａｐｈｉｃａｌ  Ｕｓｅｒ  Ｉｎｔｅｒｆａｃｅ, ＧＵＩ）を表示し、ＧＵＩを介してユーザ５と対話することができる。一方、解析装置１は停止時に、ミラースクリーン１１が単純にミラーとしてユーザ５の様子を反射してもよい。本発明では、主に解析装置１によりユーザ５の化粧操作を支援するため、ミラースクリーン１１がユーザ５の様子を反射すると同時にＧＵＩを表示することができる。こうすることで、解析装置１は、化粧中のユーザ５のメイクを解析するとともにユーザ５の化粧を支援する（詳細は後述する）。一実施形態では、ミラースクリーン１１は、タッチスクリーンであってもよい。ユーザ５は、ミラースクリーン１１により解析装置１にデータを入力してもよい。
【００２６】
解析装置１は、角度を調整可能な撮像モジュール１２をさらに含む。撮像モジュール１２は、解析装置１に設置される。一実施形態では、撮像モジュール１２は、ユーザ５の高解像度画像（例えば、顔画像、首画像、手画像など）を撮像することができる。解析装置１は、画像を用いてユーザ５の生体情報や化粧の進歩状況を解析することができる。他の実施形態では、撮像モジュール１２は、外部の情報（例えば、一次元バーコード、二次元バーコードなど）を取得し、取得された情報の内容によって対応するデータを設定することができる。
【００２７】
解析装置１は、複数のボタン１３を有してもよい。本実施形態では、複数のボタン１３は、実体のボタン（ｂｕｔｔｏｎ）であってもよいし、タッチボタン（ｔｏｕｃｈ  ｋｅｙ）であってもよいが、これらに限定されない。ユーザ５は、ボタン１３をトリガーにすることで上記ＧＵＩに対して操作（例えば、ＧＵＩを先頭頁や前の頁、次の頁などに戻す）を行ったり、対応する機能（例えば、ミラースクリーン１１の起動、ミラースクリーン１１の停止、撮像モジュール１２の起動など）を迅速に実行するように解析装置１を制御したりできる。
【００２８】
解析装置１は、１つ以上のセンサ１４（例えば、温度センサ、湿度センサなど）を有してもよい。センサ１４は、解析装置１の所在する環境の環境データを検出して、解析装置１によるユーザ５の生体情報の検出や解析の精度を高める。一実施形態では、センサ１４は、モーションセンサ（ｍｏｔｉｏｎ  ｓｅｎｓｏｒ）であってもよい。解析装置１は、モーションセンサでユーザ５の移動ジェスチャー（例えば、左への振り動作、右への振り動作、上への振り動作、下への振り動作、前方への押し動作または後方への引き動作など）を検出することができる。こうすることで、ユーザ５は、指紋が残らないように、上記ミラースクリーン１１またはボタン１３を触れることなく、ジェスチャーにより解析装置１にデータを入力することができる。
【００２９】
図４は、本発明の第１実施形態の解析装置を示すブロック図である。図４に示すように、解析装置１は、主に処理部１０、処理部１０に電気的に接続される表示モジュール１１１、撮像モジュール１２、入力インタフェース１５及び無線伝送モジュール１６を含む。
【００３０】
一実施形態では、撮像モジュール１２はカメラであり、外部画像を撮像して外部情報を取得する。解析装置１は、外部画像によりユーザを識別（例えば、顔識別、首識別、手識別など）することで、ユーザの顔、首、手などのパーツを解析することができる。また、解析装置１は、外部情報の内容によって対応する操作を行ってもよい。
【００３１】
表示モジュール１１１は、上記ＧＵＩを表示する。一実施形態では、表示モジュール１１１は、ミラースクリーン１１内に取り付けられる。表示モジュール１１１が有効な場合、表示モジュール１１１の光源は、ミラースクリーン１１を透過してＧＵＩをミラースクリーン１１に表示する。表示モジュール１１１が無効な場合、ユーザは、ミラースクリーン１１を通常のミラーとして使用することができる。一実施形態では、解析装置１が表示モジュール１１１の光源強度または表示領域を調整することで、ミラースクリーン１１はユーザの画像を反射するとともにＧＵＩを表示することができる。
【００３２】
解析装置１は、入力インタフェース１５を介して外部からのユーザの入力を受け付ける。これにより、ユーザは、ＧＵＩと対話したり、必要な設定操作を行ったりできる。一実施形態では、入力インタフェース１５は、ユーザのジェスチャーによる入力を検出するための上記センサ１４であってもよい。他の実施形態では、入力インタフェース１５は、外部画像を撮像したり外部情報を取得したりするための上記撮像モジュール１２であってもよい。別の実施形態では、入力インタフェース１５は、ユーザの入力操作を受け付けるためのタッチスクリーンまたはボタン１３であってもよい。もう１つの実施形態では、入力インタフェース１５は、外部の音声を受け付けるためのマイクであってもよい。
【００３３】
無線伝送モジュール１６は、インターネット４に接続される。詳細には、ユーザは、インターネット４を介して遠隔から解析装置１へ接続され、解析装置１に記録されている様々な情報（例えば、生体情報）を随時に確認することができる。
【００３４】
処理部１０は、表示モジュール１１１、撮像モジュール１２、入力インタフェース１５及び無線伝送モジュール１６に接続され、コンピュータで実行可能なプログラムコード（不図示）を含む。また、処理部１０は、コンピュータで実行可能なプログラムコードを実行することで、本発明の標示方法を実現することができる。
【００３５】
図５は、本発明の処理部の第１実施形態を示す図である。詳細には、処理部１０は、主に上記コンピュータで実行可能なプログラムコードにより本発明の標示方法の各機能を実行する。また、上記コンピュータで実行可能なプログラムコードは、機能によって顔識別モジュール１０１、位置合わせモジュール１０２及び標示モジュール１０３に区分けられる。
【００３６】
顔識別モジュール１０１は、撮像モジュール１２によって撮像された外部画像を識別し、外部画像に顔があるか否かを判断する。
【００３７】
位置合わせモジュール１０２は、アルゴリズムを用いて外部画像における顔を位置合わせし、顔の各パーツの位置を取得する。また、位置合わせモジュール１０２は、顔型をさらに判断する。
【００３８】
標示モジュール１０３は、位置合わせモジュール１０２によって判断された顔型に応じて対応するプログラムを実行し、正確な推奨頬紅領域を顔に標示する。
【００３９】
本実施形態では、処理部１０には、複数の顔型が記録されている。位置合わせモジュール１０２は、位置合わせを完成した後、少なくとも楕円顔、丸顔、四角顔、面長顔、逆三角顔及び菱顔などの６種類の顔型を識別してもよいが、これらに限定されない。
【００４０】
処理部１０には、上記各種の顔型にそれぞれ対応する複数の標示プログラムがさらに記録されている。標示モジュール１０３は、顔が楕円顔であると識別された場合に第１標示プログラムを実行して頬紅領域を顔に標示し、顔が丸顔または四角顔であると識別された場合に第２標示プログラムを実行して頬紅領域を顔に標示し、顔が面長顔であると識別された場合に第３標示プログラムを実行して頬紅領域を顔に標示し、顔が逆三角顔または菱顔であると識別された場合に第４標示プログラムを実行して頬紅領域を顔に標示する。上述したのは本発明の複数の具体的な実施例にすぎず、本発明を制限するためのものではないことに理解されたい。
【００４１】
ユーザが解析装置１に向かうと、解析装置１は撮像モジュール１２によりユーザを含む外部画像を取得することができる。次に、解析装置１は、処理部１０の顔識別モジュール１０１により外部画像から顔画像を抽出し、処理部１０の位置合わせモジュール１０２により顔画像の顔型を識別する。次に、解析装置１は、処理部１０の標示モジュール１０３により顔型に対応する標示プログラムを実行し、頬紅領域を顔画像に標示する。
【００４２】
これにより、解析装置１は、ミラースクリーン１１によりユーザの顔画像を反射するとともに、標示される頬紅領域を顔画像に表示モジュール１１１により表示する（例えば、図１２に示すように、顔画像が頬紅領域と重なる）。このように、ユーザは、解析装置１に表示される頬紅領域をそのまま参考して頬紅をつけることができ、その結果、頬紅を正確な位置に迅速につけることができる。
【００４３】
図６Ａ及び図６Ｂは、それぞれ本発明の一実施形態の第１の標示の流れ及び第２の標示の流れを示すフローチャートである。図６Ａ及び図６Ｂは、本発明の標示方法の各ステップを説明するためのものであり、主に図１〜図５に示す解析装置１に適用される。詳細には、本発明に係る解析装置１は、処理部１０により上記コンピュータで実行可能なプログラムコード（すなわち、上記各機能モジュール１０１−１０３）を実行し、その結果、下記の各ステップを実現することができる。
【００４４】
図６Ａに示すように、本発明に係る解析装置１により上記解析方法を実行し、ユーザによる化粧操作を支援する。まず、ユーザは解析装置１を起動する（ステップＳ１０）。一実施形態では、ユーザは、タッチスクリーンまたはボタン１３をトリガーにすることで解析装置１を起動する。他の実施形態では、解析装置１が電源オン後に自動的に待機モードに入り、ユーザが撮像モジュール１２またはセンサ１４によってジェスチャーを入力して解析装置１を起動してもよいが、これに限定されない。
【００４５】
詳細には、本発明に係る解析装置１は、異なる機能を提供する異なるモードを有する。本実施形態では、解析装置１は起動後にユーザの化粧操作を支援する支援モードに自動的に入る。他の実施形態では、解析装置１は起動後に待機モードに入り、ユーザからの指令を受信した後に支援モードに入ってもよい。
【００４６】
解析装置１の起動後に外部画像を撮像モジュール１２により継続的に撮像する（ステップＳ１２）。また、撮像された外部画像に顔があるか否かを処理部１０により継続的に判断する（ステップＳ１４）。一実施形態では、処理部１０が撮像モジュール１２から外部画像を取得するとともに、顔識別モジュール１０１が外部画像から顔を識別し、外部画像に顔があるか否かを判断する。
【００４７】
解析装置１は、外部画像に顔がある場合、ステップＳ１２及びステップＳ１４を再実行し、外部画像を継続的に撮像、解析する。例えば、外部画像には、ベッド、扉、椅子などのもののみがあったり（すなわち、寝室に人がいないことを表す）、ユーザの身体または背中のみがあったり（すなわち、ユーザが化粧を施そうとしない）する場合、解析装置１は本発明の標示方法をアクティブに実行しないようになっている。
【００４８】
図６Ｂに示すように、処理部１０は識別後、外部画像に顔があるか否かを判断し、顔の各パーツ（主にユーザの五官）を位置合わせして顔の顔型を判断する（ステップＳ１６）。一実施形態では、処理部１０は、外部画像に顔があると判断した後、顔のサイズが特定の割合よりも大きい（例えば、外部画像の４０％以上）か否かを判断する。さらに、処理部１０は、顔のサイズが特定の割合よりも大きい場合のみに顔の各パーツを位置合わせして顔の顔型を判断する。
【００４９】
一実施形態では、処理部１０は、外部画像に顔があると判断した後、顔画像を上記位置合わせモジュール１０２に送信する。位置合わせモジュール１０２は、顔を位置合わせして顔型を識別する。本実施形態では、位置合わせモジュール１０２は、顔の各パーツの位置、割合などのパラメータに基づいて顔型を判断し、少なくとも楕円顔、丸顔、四角顔、面長顔、逆三角顔及び菱顔などの６種類の顔型を識別することができる。
【００５０】
なお、本実施形態では、位置合わせモジュール１０２は、主にＤｌｉｂ  Ｆａｃｅ  Ｌａｎｄｍａｒｋシステムにより顔の各パーツを位置合わせするが、これに限定されない。
【００５１】
図７は、顔の位置合わせを説明するための図である。処理部１０は、外部画像に顔があると識別した後、上記Ｄｌｉｂ  Ｆａｃｅ  Ｌａｎｄｍａｒｋシステムにより顔５１の画像を解析する。Ｄｌｉｂ  Ｆａｃｅ  Ｌａｎｄｍａｒｋシステムは、本技術領域において慣用技術であり、解析後に顔５１の画像に複数の位置合わせポイント６（例えば、１９８個の位置合わせポイントであってもよい）を生成する。こうすることで、Ｄｌｉｂ  Ｆａｃｅ  Ｌａｎｄｍａｒｋシステムは、複数の位置合わせポイント６の番号、形状、順序などの情報に基づき、顔５１の画像に各パーツの位置を決定し、位置合わせ操作を実現する。
【００５２】
さらに、位置合わせモジュール１０２は、複数の位置合わせポイント６の位置に基づいて顔５１の各パーツの位置や割合関係を確認することで、顔５１の顔型を確認する。
【００５３】
図６Ｂに戻る。ステップＳ１６の後、処理部１０は、上記顔がどの顔型に属するかを知り、顔型に応じて対応する標示プログラムを用いて顔に頬紅領域を標示し、これにより、ユーザが頬紅をつけるのを支援する。本発明では、処理部１０は、顔が楕円顔であると判断した場合に第１標示プログラムを用い、顔が丸顔または四角顔であると判断した場合に第２標示プログラムを用い、顔が面長顔であると判断した場合に第３標示プログラムを用い、顔が逆三角顔または菱顔であると判断した場合に第４標示プログラムを用いるようになっている。
【００５４】
第１実施形態では、処理部１０は、識別後に生成される顔型情報を標示モジュール１０３に送信する。顔が楕円顔であると判断された場合、標示モジュール１０３は第１標示プログラムを用い、第１標示プログラムにより顔に頬紅領域を標示する（ステップＳ１８）。
【００５５】
第２実施形態では、処理部１０は、識別後に生成される顔型情報を標示モジュール１０３に送信する。顔が丸顔または四角顔であると判断された場合、標示モジュール１０３は第２標示プログラムを用い、第２標示プログラムにより顔に頬紅領域を標示する（ステップＳ２０）。
【００５６】
第３実施形態では、処理部１０は、識別後に生成される顔型情報を標示モジュール１０３に送信する。顔が面長顔であると判断された場合、標示モジュール１０３は第３標示プログラムを用い、第３標示プログラムにより顔に頬紅領域を標示する（ステップＳ２２）。
【００５７】
第４実施形態では、処理部１０は、識別後に生成される顔型情報を標示モジュール１０３に送信する。顔が逆三角顔または菱顔であると判断された場合、標示モジュール１０３は第４標示プログラムを用い、第４標示プログラムにより顔に頬紅領域を標示する（ステップＳ２４）。
【００５８】
頬紅領域を標示した後、解析装置１は、表示モジュール１１１により顔及び頬紅領域を表示する（ステップＳ２６）。なお、表示される頬紅領域は、表示される顔と互いに重なる。こうすることで、ユーザは、ミラースクリーン１１において顔における頬紅領域の位置をそのまま見ることができ、その結果、頬紅を正確な位置に迅速につけることができる。
【００５９】
次に、解析装置１は、ユーザによる化粧操作を完成したか否かを判断する（ステップＳ２８）。一実施形態では、解析装置１は、外部画像に顔がない場合、顔のサイズが特定の割合未満の場合、ユーザが化粧を停止した場合、または、ユーザが解析装置１の中止ボタンをトリガーにしたり中止ジェスチャーを入力したりした場合、ユーザによる化粧操作を完成したと判断する。
【００６０】
本発明では、解析装置１は、ユーザによる化粧操作を完成する前にステップＳ１８〜Ｓ２６を繰り返し実行することで、ユーザの顔画像を継続的に撮像し、顔画像に頬紅領域を標示し、ミラースクリーン１１において顔画像及び頬紅領域を表示する。こうすることで、本発明に係る解析装置１は、頬紅領域を動的に解析、表示する技術的効果を達することができる。すなわち、ユーザの顔が移動すると、ミラースクリーン１１に表示される頬紅領域も移動し、これにより、利用の利便性をより一層向上させることができる。
【００６１】
図８Ａは、本発明の頬紅領域の標示の第１実施形態を示すフローチャートである。図８Ｂは、本発明の頬紅領域の第１実施形態を示す図である。ステップＳ１６においてユーザの顔型が楕円顔であると位置合わせモジュール１０２が判断した後、ステップＳ１８において標示モジュール１０３が第１標示プログラムにより頬紅領域をどのように標示するかについて図８Ａを用いて説明する。詳細には、第１標示プログラムは、処理部１０に記録されているコンピュータで実行可能なプログラムコードから構成される。標示モジュール１０３が第１標示プログラムを実行する場合には、図８Ａに示す各ステップを実行するようになっている。
【００６２】
以下、第１標示プログラムについて図８Ｂに合わせて説明する。
【００６３】
まず、標示モジュール１０３は、顔の目の下縁の位置より第１水平線７１を設定し（ステップＳ１８０）、第１水平線７１と顔の輪郭との第１交差点６１を設定する（ステップＳ１８２）。詳細には、第１交差点６１は、第１水平線７１と顔の左側輪郭との交差点、及び第１水平線７１と顔の右側輪郭との交差点を含む。
【００６４】
次に、標示モジュール１０３は、第１交差点６１と顔の口角の位置８１とを結ぶ第１補助線９１を設定する（ステップＳ１８４）。詳細には、第１補助線９１は、左側交差点と左側口角とを結ぶ補助線、及び右側交差点と右側口角とを結ぶ補助線を含む。
【００６５】
次に、標示モジュール１０３は、口角の位置８１より第２水平線７２を設定する（ステップＳ１８６）。なお、第２水平線７２は、顔の左側口角及び右側口角と平行になる。また、標示モジュール１０３は、第２水平線７２と顔の輪郭との第２交差点６２を設定する（ステップＳ１８８）。詳細には、第２交差点６２は、第２水平線７２と顔の左側輪郭との交差点、及び第２水平線７２と顔の右側輪郭との交差点を含む。
【００６６】
次に、標示モジュール１０３は、第２交差点６２と顔の下まぶたの中点の位置８２とを結ぶ第２補助線９２を設定する（ステップＳ１９０）。詳細には、第２補助線９２は、左側の交差点と左側下まぶたとを結ぶ補助線、及び右側の交差点と右側下まぶたとを結ぶ補助線を含む。
【００６７】
最後に、標示モジュール１０３は、顔の鼻の最下点の位置８３より第３補助線９３として第３水平線を設定する（ステップＳ１９２）。詳細には、第３補助線９３は、鼻から左へ延びる補助線、及び鼻から右へ延びる補助線を含む。こうすることで、標示モジュール１０３は、第１補助線９１、第２補助線９２及び第３補助線９３により顔に頬紅領域Ａ１を形成する（ステップＳ１９４）。
【００６８】
詳細には、本実施形態では、頬紅領域Ａ１は、左側に位置する第１補助線９１、第２補助線９２及び第３補助線９３により形成される左側頬紅領域Ａ１、及び右側に位置する第１補助線９１、第２補助線９２及び第３補助線９３により形成される右側頬紅領域Ａ１を含む。より詳細には、頬紅領域Ａ１は、第１補助線９１、第２補助線９２、第３補助線９３及び顔の輪郭により囲まれた領域である。
【００６９】
図９Ａは、本発明の頬紅領域の標示の第２実施形態を示すフローチャートである。図９Ｂは、本発明の頬紅領域の第２実施形態を示す図である。ステップＳ１６においてユーザの顔型が丸顔または四角顔であると位置合わせモジュール１０２が判断した後、ステップＳ２０において標示モジュール１０３が第２標示プログラムにより頬紅領域をどのように標示するかについて図９Ａを用いて説明する。詳細には、第２標示プログラムは、処理部１０に記録されているコンピュータで実行可能なプログラムコードから構成される。標示モジュール１０３が第２標示プログラムを実行した場合には、図９Ａに示す各ステップを実行するようになっている。
【００７０】
以下、第２標示プログラムについて図９Ｂに合わせて説明する。
【００７１】
まず、標示モジュール１０３は、顔の鼻の最下点の位置８３より第１水平線７１を設定する（ステップＳ２００）。次に、標示モジュール１０３は、顔の目の下縁の位置より第２水平線７２を設定し（ステップＳ２０２）、第２水平線７２と顔の輪郭との第１交差点６１を設定する（ステップＳ２０４）。詳細には、第１交差点６１は、第２水平線７２と顔の左側輪郭との交差点、及び第２水平線７２と顔の右側輪郭との交差点を含む。
【００７２】
次に、標示モジュール１０３は、第１交差点６１と顔の鼻翼の最高点の位置８４とを結ぶ第４補助線９４を設定する（ステップＳ２０６）。詳細には、第４補助線９４は、左側交差点と左側鼻翼とを結ぶ補助線、及び右側交差点と右側鼻翼とを結ぶ補助線を含む。
【００７３】
次に、標示モジュール１０３は、第４補助線９４と第１水平線７１との交差位置まで第４補助線９４を下方へ平行移動させて第５補助線９５を設定する（ステップＳ２０８）。詳細には、第５補助線９５は、左側第４補助線９４が下方へ平行移動して生成される補助線、及び右側第４補助線９４が下方へ平行移動して生成される補助線を含む。
【００７４】
最後に、標示モジュール１０３は、顔の口角の位置８１より第６補助線９６として垂直線を設定する（ステップＳ２１０）。詳細には、第６補助線９６は、左側口角より垂直に設定される補助線、及び右側口角より垂直に設定される補助線を含む。こうすることで、標示モジュール１０３は、第４補助線９４、第５補助線９５及び第６補助線９６により顔に頬紅領域Ａ２を形成する（ステップＳ２１２）。
【００７５】
詳細には、本実施形態では、頬紅領域Ａ２は、左側に位置する第４補助線９４、第５補助線９５及び第６補助線９６により形成される左側頬紅領域Ａ２、及び右側に位置する第４補助線９４、第５補助線９５及び第６補助線９６により形成される右側頬紅領域Ａ２を含む。より詳細には、頬紅領域Ａ２は、第４補助線９４、第５補助線９５、第６補助線９６及び顔の輪郭により囲まれた領域である。
【００７６】
図１０Ａは、本発明の頬紅領域の標示の第３実施形態を示すフローチャートである。図１０Ｂは、本発明の頬紅領域の第３実施形態を示す図である。ステップＳ１６においてユーザの顔型が面長顔であると位置合わせモジュール１０２が判断した後、ステップＳ２２において標示モジュール１０３が第３標示プログラムにより頬紅領域をどのように標示するかについて図１０Ａを用いて説明する。詳細には、第３標示プログラムは、処理部１０に記録されているコンピュータで実行可能なプログラムコードから構成される。標示モジュール１０３が第３標示プログラムを実行した場合には、図１０Ａに示す各ステップを実行するようになっている。
【００７７】
以下、第３標示プログラムについて図１０Ｂに合わせて説明する。
【００７８】
まず、標示モジュール１０３は、顔の目の下縁の位置より第７補助線９７として第１水平線を設定する（ステップＳ２２０）。詳細には、第７補助線９７は、目から左へ延びる補助線、及び目から右へ延びる補助線を含む。次に、標示モジュール１０３は、顔の鼻翼の最高点の位置８４より第８補助線９８として第２水平線を設定する（ステップＳ２２２）。詳細には、第８補助線９８は、左側鼻翼から左へ延びる補助線、及び右側鼻翼から右へ延びる補助線を含む。
【００７９】
次に、標示モジュール１０３は、顔の鼻翼の外側の位置８５より第９補助線９９として垂直線を設定する（ステップＳ２２４）。詳細には、第９補助線９９は、左側鼻翼より垂直に設定される補助線、及び右側鼻翼より垂直に設定される補助線を含む。こうすることで、標示モジュール１０３は、第７補助線９７、第８補助線９８及び第９補助線９９により顔に頬紅領域Ａ３を形成する（ステップＳ２２６）。
【００８０】
詳細には、本実施形態では、頬紅領域Ａ３は、左側に位置する第７補助線９７、第８補助線９８及び第９補助線９９により形成される左側頬紅領域Ａ３、及び右側に位置する第７補助線９７、第８補助線９８及び第９補助線９９により形成される右側頬紅領域Ａ３を含む。より詳細には、頬紅領域Ａ３は、第７補助線９７、第８補助線９８、第９補助線９９及び顔の輪郭により囲まれた領域である。
【００８１】
図１１Ａは、本発明の頬紅領域の標示の第４実施形態を示すフローチャートである。図１１Ｂは、本発明の頬紅領域の第４実施形態を示す図である。ステップＳ１６においてユーザの顔型が逆三角顔または菱顔であると位置合わせモジュール１０２が判断した後、ステップＳ２４において標示モジュール１０３が第４標示プログラムにより頬紅領域をどのように標示するかについて図１１Ａを用いて説明する。詳細には、第４標示プログラムは、処理部１０に記録されているコンピュータで実行可能なプログラムコードから構成される。標示モジュール１０３が第４標示プログラムを実行した場合には、図１１Ａに示す各ステップを実行するようになっている。
【００８２】
以下、第４標示プログラムについて図１１Ｂに合わせて説明する。
【００８３】
まず、標示モジュール１０３は、顔の目の下縁の位置より第１水平線７１を設定し（ステップＳ２４０）、第１水平線７１と顔の輪郭との第１交差点６１を設定する（ステップＳ２４２）。詳細には、第１交差点６１は、第１水平線７１と顔の左側輪郭との交差点、及び第１水平線７１と顔の右側輪郭との交差点を含む。
【００８４】
次に、標示モジュール１０３は、第１交差点６１と顔の鼻翼の最高点の位置８４とを結ぶ第１０補助線９１０を設定する（ステップＳ２４４）。詳細には、第１０補助線９１０は、左側交差点と左側鼻翼とを結ぶ補助線、及び右側交差点と右側鼻翼とを結ぶ補助線を含む。
【００８５】
次に、標示モジュール１０３は、顔の眉山の位置８６より第１１補助線９１１として垂直線を設定する（ステップＳ２４６）。詳細には、第１１補助線９１１は、左側眉山より垂直に設定される補助線、及び右側眉山より垂直に設定される補助線を含む。
【００８６】
次に、標示モジュール１０３は、顔の鼻の最下点の位置８３より第２水平線７２を設定し（ステップＳ２４８）、第２水平線７２と顔の輪郭との第２交差点６２を設定する（ステップＳ２５０）。詳細には、第２交差点６２は、第２水平線７２と顔の左側輪郭との交差点、及び第２水平線７２と顔の右側輪郭との交差点を含む。
【００８７】
次に、標示モジュール１０３は、第２交差点６２と鼻翼の最高点の位置８４とを結ぶ第１２補助線９１２を設定する（ステップＳ２５２）。詳細には、第１２補助線９１２は、左側交差点と左側鼻翼とを結ぶ補助線、及び右側交差点と右側鼻翼とを結ぶ補助線を含む。こうすることで、標示モジュール１０３は、第１０補助線９１０、第１１補助線９１１及び第１２補助線９１２により顔に頬紅領域Ａ４を形成する（ステップＳ２５４）。
【００８８】
詳細には、本実施形態では、頬紅領域Ａ４は、左側に位置する第１０補助線９１０、第１１補助線９１１及び第１２補助線９１２により形成される左側頬紅領域Ａ４、及び右側に位置する第１０補助線９１０、第１１補助線９１１及び第１２補助線９１２により形成される右側頬紅領域Ａ４を含む。より詳細には、頬紅領域Ａ４は、第１０補助線９１０、第１１補助線９１１、第１２補助線９１２及び顔の輪郭により囲まれた領域である。
【００８９】
解析装置１は、頬紅領域Ａ１〜Ａ４のいずれかを標示した後、ステップＳ２６を続けて実行し、ミラースクリーン１１に顔及び頬紅領域Ａ１〜Ａ４を表示する。
【００９０】
図１２は、本発明に係る解析装置の第３実施形態を示す図である。上述したように、本発明に係る解析装置１は、ユーザ５の顔画像を即時に撮像するとともに、ユーザ５の顔型に応じて頬紅領域を識別する。さらに、解析装置１は、ミラースクリーン１１にユーザ５の顔画像を表示するとともに、顔画像に頬紅領域（すなわち、頬紅領域Ａ１〜Ａ４であり、図１２において楕円顔の頬紅領域Ａ１を例示する）を表示することができる。
【００９１】
図１２に示すように、ユーザ５は、ミラースクリーン１１により自分の顔の反射画像を目視することができる。頬紅領域Ａ１は、反射画像と重なるように反射画像においてそのまま表示される。こうすることで、ユーザ５は、ミラースクリーン１１に表示される頬紅領域Ａ１に基づいてそのまま化粧を施し、頬紅を正確な位置につけることができる。
【００９２】
本発明に係る解析装置１及び標示方法によれば、ユーザ５は化粧中に、ミラースクリーン１１により自分の顔画像を目視することができるほか、頬紅に適する位置をそのまま知ることができ、その結果、頬紅を正確な位置により迅速につけることができる。
【００９３】
以上、本発明の好ましい実施形態を挙げて説明したが、これは本発明の実施形態の一例に過ぎない。説明した実施形態は、本発明の範囲を限定するものではないことが理解されたい。当業者であれば本発明の概念又は技術的思想を含む各種の変動や交換は、本発明の保護を求める範囲内に属するものである。
【符号の説明】
【００９４】
１  生体情報解析装置
１０  処理部
１０１  顔識別モジュール
１０２  位置合わせモジュール
１０３  標示モジュール
１１  ミラースクリーン
１１１  表示モジュール
１２  撮像モジュール
１３  ボタン
１４  センサ
１５  入力インタフェース
１６  無線伝送モジュール
２  電子装置
２１  ソフトウェア
３  ワイヤレスルータ
４  インターネット
５  ユーザ
５１  顔
６  位置合わせポイント
６１  第１交差点
６２  第２交差点
７１  第１水平線
７２  第２水平線
８１  口角の位置
８２  下まぶたの中点の位置
８３  鼻の最下点の位置
８４  鼻翼の最高点の位置
８５  鼻翼の外側の位置
８６  眉山の位置
９１  第１補助線
９２  第２補助線
９３  第３補助線
９４  第４補助線
９５  第５補助線
９６  第６補助線
９７  第７補助線
９８  第８補助線
９９  第９補助線
９１０  第１０補助線
９１１  第１１補助線
９１２  第１２補助線
Ａ１〜Ａ４ 頬紅領域
【図１】
2019028968.tif 000003
【図２】
2019028968.tif 000004
【図３】
2019028968.tif 000005
【図４】
2019028968.tif 000006
【図５】
2019028968.tif 000007
【図６Ａ】
2019028968.tif 000008
【図６Ｂ】
2019028968.tif 000009
【図７】
2019028968.tif 000010
【図８Ａ】
2019028968.tif 000011
【図８Ｂ】
2019028968.tif 000012
【図９Ａ】
2019028968.tif 000013
【図９Ｂ】
2019028968.tif 000014
【図１０Ａ】
2019028968.tif 000015
【図１０Ｂ】
2019028968.tif 000016
【図１１Ａ】
2019028968.tif 000017
【図１１Ｂ】
2019028968.tif 000018
【図１２】
2019028968.tif 000019